(57)【要約】【課題】  アクチュエータを精密に位置決めした状態で確実に固定すること。【解決手段】  アクチュエータ３のアクトベース４をスライドベース２に対して三次元調整により位置決めした状態で一方の起立板１０と一方の支持板１６との間の隙間α及び起立片１５ａ，１５ｂと他方の支持板１７との間の隙間βにそれぞれ位置決め用接着剤１８，１９を塗布して、そのアクトベース４の両端をスライドベース２に固定し、アクチュエータ３を駆動し、レーザ光を対物レンズＯＬからディスクに投射し、その反射光を受光してディスクに記録されている情報を読み取るようにした光ピックアップにおいて、一方の支持板１６の上面中央に凹部２１が形成されており、その一方の支持板１６と一方の起立板１０との間の隙間αから凹部２１内まで位置決め用接着剤１８が塗布されている。【選択図】        図１
2008257823.tif 000002
【特許請求の範囲】
【請求項１】
ディスクの半径方向に沿って往復移動可能なスライドベース上にアクチュエータを配置
したものであって、該アクチュエータが、アクトベースと、該アクトベース上に配置した
対物レンズ付きレンズホルダと、該レンズホルダに取り付けた複数のコイルに接近して配
置した一対のマグネットとを有し、その一方のマグネットが前記アクトベースの一端から
起立させた一方の起立板に固定されると共に、その他方のマグネットがアクトベースの中
央部から切り起こした他方の起立板に固定され、前記一方の起立板とアクトベースの他端
から起立させた起立片とにそれぞれ接近してスライドベースに一対の支持板が突設されて
おり、アクトベースをスライドベースに対して三次元調整により位置決めした状態で一方
の起立板と一方の支持板との間の隙間及び起立片と他方の支持板との間の隙間にそれぞれ
位置決め用接着剤を塗布して、そのアクトベースの両端をスライドベースに固定し、前記
各コイルに通電することによりアクチュエータを駆動し、レーザ光を対物レンズからディ
スクに投射し、その反射光を受光してディスクに記録されている情報を読み取るようにし
た光ピックアップにおいて、前記一方の支持板の上面中央に凹部が形成されており、その
一方の支持板と一方の起立板との間の隙間から前記凹部内まで位置決め用接着剤が塗布さ
れていることを特徴とする光ピックアップ。
【請求項２】
前記アクトベースの中央部下面とスライドベースとの間の隙間の複数箇所に間隔保持用
接着剤を塗布することにより、その間隔保持用接着剤を介してアクトベースの中央部下面
がスライドベースに一体的に接続されていることを特徴とする請求項１に記載の光ピック
アップ。
【請求項３】
ディスクの半径方向に沿って往復移動可能なスライドベース上にアクチュエータを配置
したものであって、該アクチュエータが、アクトベースと、該アクトベース上に配置した
対物レンズ付きレンズホルダと、該レンズホルダに取り付けた複数のコイルに接近して配
置した一対のマグネットとを有し、その一方のマグネットが前記アクトベースの一端から
起立させた一方の起立板に固定されると共に、その他方のマグネットがアクトベースの中
央部から切り起こした他方の起立板に固定され、前記一方の起立板とアクトベースの他端
から起立させた起立片とにそれぞれ接近してスライドベースに一対の支持板が突設されて
おり、アクトベースをスライドベースに対して三次元調整により位置決めした状態で一方
の起立板と一方の支持板との間の隙間及び起立片と他方の支持板との間の隙間にそれぞれ
紫外線硬化性接着剤からなる位置決め用接着剤を塗布して、そのアクトベースの両端をス
ライドベースに固定し、前記各コイルに通電することによりアクチュエータを駆動し、レ
ーザ光を対物レンズからディスクに投射し、その反射光を受光してディスクに記録されて
いる情報を読み取るようにした光ピックアップにおいて、前記一方の支持板の上面中央に
凹部が形成されており、その一方の支持板と一方の起立板との間の隙間から前記凹部内ま
で位置決め用接着剤が塗布され、前記アクトベースの中央部下面とスライドベースとの間
の隙間の複数箇所に紫外線硬化性接着剤からなる間隔保持用接着剤を塗布することにより
、その間隔保持用接着剤を介してアクトベースの中央部下面がスライドベースに一体的に
接続されていることを特徴とする光ピックアップ。
【発明の詳細な説明】
【技術分野】
【０００１】
本発明は、ディスク装置（例えばＤＶＤレコーダやＤＶＤプレーヤなど）に使用される
光ピックアップに関し、特に、スライドベースに対しアクチュエータを精密に位置決めし
た状態で確実に固定することができるようにしたものである。
【背景技術】
【０００２】
従来、光ピックアップの一例として図８〜図１１に示すものがあり、図８は同平面図、
図９は同斜視図、図１０は同要部の拡大横断面図、図１１は同要部の一部切欠き拡大平面
図である。
【０００３】
図８及び図９に示すように、ガイドレール１に支持されてディスクＤ（図２参照）の半
径方向に沿って往復移動可能なスライドベース２上にアクチュエータ３を配置したもので
あって、該アクチュエータ３は、金属板製アクトベース４と、該アクトベース４上に固定
した合成樹脂製ゲルボックス５と、該ゲルボックス５に対向してアクトベース４の上方に
配置した対物レンズＯＬ付き合成樹脂製レンズホルダ６と、該レンズホルダ６に取り付け
た複数のコイル（フォーカスコイル、トラッキングコイル及びチルトコイル）７に接近し
て配置した一対のマグネット８，９とを有し、その一方のマグネット８がアクトベース４
の一端から起立させた一方の起立板１０に固定されると共に、その他方のマグネット９が
アクトベース４の中央から切り起こした他方の起立板１１に固定され、前記ゲルボックス
５の両側面に一端を半田付け１２した複数の弾性ワイヤ１３の他端がレンズホルダ６の両
側面に半田付け１２されている。なお、ゲルボックス５内にゲル１４が充填されており、
そのゲル１４中に各弾性ワイヤ１３が挿通され、一方の起立板１０とアクトベース４の他
端から所定間隔をおいて起立させた一対の起立片１５ａ，１５ｂとにそれぞれ接近して一
対の支持板１６，１７がスライドベース２に突設されている。
【０００４】
情報読取手順を説明すると、各弾性ワイヤ１３を介して各コイル７に通電することによ
りアクチュエータ３を駆動し、レンズホルダ６を介して対物レンズＯＬをフォーカス方向
及びトラッキング方向やチルト方向に移動させ、レーザ光を対物レンズＯＬからディスク
Ｄに投射し、その反射光を受光してディスクＤに記録されている情報を読み取る。
【０００５】
アクトベース４の固定手順を説明すると、アクトベース４をスライドベース２に対して
前後方向Ｘ、左右方向Ｙ及び上下方向Ｚの三次元調整ＸＹＺにより位置決めした状態で、
図１０及び図１１に示すように、一方の起立板１０と一方の支持板１６との間の隙間αの
複数箇所（この例では上側１箇所と下側２箇所の合計３箇所）に紫外線硬化性接着剤から
なる位置決め用接着剤１８を塗布する。
【０００６】
続いて、図８に示すように、各起立片１５ａ，１５ｂと他方の支持板１７との間の隙間
βにそれぞれ紫外線硬化性接着剤からなる位置決め用接着剤１９を塗布する。
【０００７】
その後、紫外線を照射することにより各位置決め用接着剤１８，１９を硬化させて、ア
クトベース４の両端をスライドベース２に固定する。
【特許文献１】特開２００３−６７９４１号公報
【発明の開示】
【発明が解決しようとする課題】
【０００８】
上記従来の構成では、一方の起立板１０と一方の支持板１６との間の隙間αの複数箇所
に塗布した各位置決め用接着剤１８が互いに独立しているので、光ピックアップが例えば
落下して衝撃を受けたときに、その落下衝撃が一つの位置決め用接着剤１８に集中的にか
かって損傷されることがあり、その損傷が生じると、残りの各位置決め用接着剤１８にも
次々と落下衝撃が集中的にかかって損傷されるおそれがあり、その結果、アクチュエータ
３の固定が不確実になる。
【０００９】
そこで、図１２の要部の拡大横断面図に示すように、一方の起立板１０と一方の支持板
１６との間の隙間αに位置決め用接着剤１８を広範囲にわたって塗布することが考えられ
るが、これによると、位置決め用接着剤１８と一方の起立片１０及び一方の支持板１６と
の接触面積が大きくなって、耐衝撃性が大きくなり、その位置決め用接着剤１８が落下衝
撃を受けても損傷されなくなる。しかし、位置決め用接着剤１８の塗布量が多いため、保
管倉庫内などの高温雰囲気や低温雰囲気にさらされることにより、その位置決め用接着剤
１８が熱伸縮して、アクチュエータ３の三次元調整ＸＹＺが狂うおそれがある。
【００１０】
本発明は、上記従来の欠点に鑑み、スライドベースに対しアクチュエータを精密に位置
決めした状態で確実に固定することができるようにした光ピックアップを提供することを
目的としている。
【課題を解決するための手段】
【００１１】
上記目的を達成するため、請求項１に記載の発明は、ディスクの半径方向に沿って往復
移動可能なスライドベース上にアクチュエータを配置したものであって、該アクチュエー
タが、アクトベースと、該アクトベース上に配置した対物レンズ付きレンズホルダと、該
レンズホルダに取り付けた複数のコイルに接近して配置した一対のマグネットとを有し、
その一方のマグネットが前記アクトベースの一端から起立させた一方の起立板に固定され
ると共に、その他方のマグネットがアクトベースの中央部から切り起こした他方の起立板
に固定され、前記一方の起立板とアクトベースの他端から起立させた起立片とにそれぞれ
接近してスライドベースに一対の支持板が突設されており、アクトベースをスライドベー
スに対して三次元調整により位置決めした状態で一方の起立板と一方の支持板との間の隙
間及び起立片と他方の支持板との間の隙間にそれぞれ位置決め用接着剤を塗布して、その
アクトベースの両端をスライドベースに固定し、前記各コイルに通電することによりアク
チュエータを駆動し、レーザ光を対物レンズからディスクに投射し、その反射光を受光し
てディスクに記録されている情報を読み取るようにした光ピックアップにおいて、前記一
方の支持板の上面中央に凹部が形成されており、その一方の支持板と一方の起立板との間
の隙間から前記凹部内まで位置決め用接着剤が塗布されていることを特徴としている。
【００１２】
請求項２に記載の発明は、請求項１に記載の発明において、前記アクトベースの中央部
下面とスライドベースとの間の隙間の複数箇所に間隔保持用接着剤を塗布することにより
、その間隔保持用接着剤を介してアクトベースの中央部下面がスライドベースに一体的に
接続されていることを特徴としている。
【００１３】
請求項３に記載の発明は、ディスクの半径方向に沿って往復移動可能なスライドベース
上にアクチュエータを配置したものであって、該アクチュエータが、アクトベースと、該
アクトベース上に配置した対物レンズ付きレンズホルダと、該レンズホルダに取り付けた
複数のコイルに接近して配置した一対のマグネットとを有し、その一方のマグネットが前
記アクトベースの一端から起立させた一方の起立板に固定されると共に、その他方のマグ
ネットがアクトベースの中央部から切り起こした他方の起立板に固定され、前記一方の起
立板とアクトベースの他端から起立させた起立片とにそれぞれ接近してスライドベースに
一対の支持板が突設されており、アクトベースをスライドベースに対して三次元調整によ
り位置決めした状態で一方の起立板と一方の支持板との間の隙間及び起立片と他方の支持
板との間の隙間にそれぞれ紫外線硬化性接着剤からなる位置決め用接着剤を塗布して、そ
のアクトベースの両端をスライドベースに固定し、前記各コイルに通電することによりア
クチュエータを駆動し、レーザ光を対物レンズからディスクに投射し、その反射光を受光
してディスクに記録されている情報を読み取るようにした光ピックアップにおいて、前記
一方の支持板の上面中央に凹部が形成されており、その一方の支持板と一方の起立板との
間の隙間から前記凹部内まで位置決め用接着剤が塗布され、前記アクトベースの中央部下
面とスライドベースとの間の隙間の複数箇所に紫外線硬化性接着剤からなる間隔保持用接
着剤を塗布することにより、その間隔保持用接着剤を介してアクトベースの中央部下面が
スライドベースに一体的に接続されていることを特徴としている。
【発明の効果】
【００１４】
請求項１に記載の発明によれば、一方の支持板と一方の起立板との間の隙間に塗布した
位置決め用接着剤が前記一方の支持板の凹部内に楔状に入り込んでおり、その楔状部分と
凹部の内周面との接触面積が大きいので、耐衝撃性が大きくなり、光ピックアップが例え
ば落下して衝撃を受けたとしても、その落下衝撃により位置決め用接着剤が損傷されるこ
とがなく、アクチュエータをスライドベースに確実に固定することができる。
【００１５】
また、位置決め用接着剤を凹部内とその周辺に塗布するだけでよくその塗布量が少ない
から、保管倉庫内などの高温雰囲気や低温雰囲気にさらされても、その位置決め用接着剤
の熱伸縮がアクチュエータの三次元調整に悪影響を与えることがなく、その三次元調整に
よる精密な位置決め状態を長期にわたって維持することができる。
【００１６】
請求項２に記載の発明によれば、間隔保持用接着剤を介してアクトベースの中央部下面
がスライドベースに一体的に接続されているから、アクチュエータの駆動によりアクトベ
ースの中央部が共振現象で振動されるのを抑えることができ、ディスクに記録されている
情報の再生や録画を良好に行なうことができる。
【００１７】
請求項３に記載の発明は実施の一形態（図１〜図７参照）に対応するものであって、こ
れによれば、一方の支持板と一方の起立板との間の隙間に塗布した位置決め用接着剤が前
記一方の支持板の凹部内に楔状に入り込んでおり、その楔状部分と凹部の内周面との接触
面積が大きいので、耐衝撃性が大きくなり、光ピックアップが例えば落下して衝撃を受け
たとしても、その落下衝撃により位置決め用接着剤が損傷されることがなく、アクチュエ
ータをスライドベースに確実に固定することができる。
【００１８】
また、位置決め用接着剤を凹部内とその周辺に塗布するだけでよくその塗布量が少ない
から、保管倉庫内などの高温雰囲気や低温雰囲気にさらされても、その位置決め用接着剤
の熱伸縮がアクチュエータの三次元調整に悪影響を与えることがなく、その三次元調整に
よる精密な位置決め状態を長期にわたって維持することができる。
【００１９】
更に、間隔保持用接着剤を介してアクトベースの中央部下面がスライドベースに一体的
に接続されているから、アクチュエータの駆動によりアクトベースの中央部が共振現象で
振動されるのを抑えることができ、ディスクに記録されている情報の再生や録画を良好に
行なうことができる。
【発明を実施するための最良の形態】
【００２０】
図１〜図７は本発明の実施の一形態である光ピックアップを示すものであって、図１は
同平面図、図２は同一部切欠き正面図、図３は同斜視図、図４は同要部の拡大横断面図、
図５は同要部の一部切欠き拡大平面図、図６は同要部の拡大斜視図、図７は同要部の拡大
分解斜視図である。
【００２１】
図３〜図７に示すように、一方の支持板１６の上面中央に凹部２１が形成されており、
その一方の支持板１６と一方の起立板１０との間の隙間αから前記凹部２１内まで紫外線
硬化性接着剤からなる位置決め用接着剤１８が塗布されている。上記以外の構成は図８〜
図１１に示す構成とほぼ同じであるから、同一部分に同一符号を付してその説明を省略す
る。
【００２２】
上記構成によれば、一方の支持板１６と一方の起立板１０との間の隙間αに塗布した位
置決め用接着剤１８が凹部２１内に楔状に入り込んでおり、その楔状部分１８ａと凹部２
１の内周面との接触面積が大きいので、耐衝撃性が大きくなり、光ピックアップが例えば
落下して衝撃を受けたとしても、その落下衝撃により位置決め用接着剤１８が損傷される
ことがなく、アクチュエータ３をスライドベース２に確実に固定することができる。
【００２３】
また、位置決め用接着剤１８を凹部２１とその周辺に塗布するだけでよくその塗布量が
少ないから、保管倉庫内などの高温雰囲気や低温雰囲気にさらされても、その位置決め用
接着剤１８の熱伸縮がアクチュエータ３の三次元調整ＸＹＺに悪影響を与えることがなく
、その三次元調整ＸＹＺによる精密な位置決め状態を長期にわたって維持することができ
る。
【００２４】
図１及び図２に示すように、アクトベース４の中央部下面とスライドベース２との間の
隙間ｔの複数箇所（この実施の形態では４箇所）に紫外線硬化性接着剤からなる間隔保持
用接着剤２２を塗布することにより、その間隔保持用接着剤２２を介してアクトベース４
の中央部下面がスライドベースに一体的に接続されている。
【００２５】
上記構成によれば、間隔保持用接着剤２２を介してアクトベース４の中央部下面がスラ
イドベース２に一体的に接続されているから、アクチュエータ３の駆動によりアクトベー
ス４の中央部が共振現象で振動されるのを抑えることができ、ディスクＤに記録されてい
る情報の再生や録画を良好に行なうことができる。
【００２６】
光ピックアップの組立手順を説明すると、一方の支持板１６と一方の起立板１０との間
の隙間α及び起立片１５ａ，１５ｂと他方の支持板１７との間の隙間βにそれぞれ紫外線
硬化性接着剤からなる位置決め用接着剤１８を塗布し、紫外線の予備照射を短時間（例え
ば５秒）だけ行なって位置決め用接着剤１８を半硬化させる。その後、アクトベース４の
中央部下面とスライドベース２との間の隙間ｔの複数箇所に紫外線硬化性接着剤からなる
間隔保持用接着剤２２を塗布し、紫外線を所定時間（例えば３０秒）だけ本照射して位置
決め用接着剤１８及び間隔保持用接着剤２２を完全硬化させることにより、アクトベース
４の両端及びその中央部下面をスライドベース２に一体的に固定する。
【００２７】
上記構成によれば、第１工程で、位置決め用接着剤１８を半硬化させることにより、ア
クチュエータ３の位置決め状態を仮固定し、第２工程で、位置決め用接着剤１８及び間隔
保持用接着剤２２を完全硬化させることにより、アクトベース４の両端及び中央部をスラ
イドベース２に本固定しており、ここで仮に、第１工程で予備照射を省略し本照射だけで
位置決め用接着剤１８を完全硬化させ、第２工程で間隔保持用接着剤２２を完全硬化させ
たときには、その間隔保持用接着剤２２の硬化収縮によりアクトベース４の中央部が撓ん
でアクチュエータ３の三次元調整ＸＹＺが微妙にずれるおそれがあるが、そのおそれを本
発明では確実に解消することができる。
【図面の簡単な説明】
【００２８】
【図１】本発明の実施の一形態である光ピックアップの平面図である。
【図２】同一部切欠き正面図である。
【図３】同斜視図である。
【図４】同要部の拡大横断面図である。
【図５】同要部の一部切欠き拡大平面図である。
【図６】同要部の拡大斜視図である。
【図７】同要部の拡大分解斜視図である。
【図８】従来の一例を示す平面図である。
【図９】同斜視図である。
【図１０】同要部の拡大横断面図である。
【図１１】同要部の一部切欠き拡大平面図である。
【図１２】従来の他の例を示す要部の拡大横断面図である。
【符号の説明】
【００２９】
２              スライドベース
３              アクチュエータ
４              アクトベース
６              レンズホルダ
７              コイル
８，９          マグネット
１０            一方の起立板
１１            他方の起立板
１５ａ，１５ｂ  起立片
１６            一方の支持板
１７            他方の支持板
１８，１９      位置決め用接着剤
２１            凹部
２２            間隔保持用接着剤
Ｄ              ディスク
ＯＬ            対物レンズ
α，β，ｔ      隙間
【図１】
2008257823.tif 000003
【図２】
2008257823.tif 000004
【図３】
2008257823.tif 000005
【図４】
2008257823.tif 000006
【図５】
2008257823.tif 000007
【図６】
2008257823.tif 000008
【図７】
2008257823.tif 000009
【図８】
2008257823.tif 000010
【図９】
2008257823.tif 000011
【図１０】
2008257823.tif 000012
【図１１】
2008257823.tif 000013
【図１２】
2008257823.tif 000014